(57)【特許請求の範囲】
【請求項１】
方形の底板と、該底板の周縁に立設した側壁とからなる箱状の容器本体の底面上に、円筒状の同一外径の収納物の胴部に当接する複数の仕切体を備えた収納容器であって、前記仕切体は、底面上に隣接する前記収納物同士の胴部が接触した状態で整列させたときに各収納物の間に形成される隙間部分及び収納物と前記側壁との間に形成される隙間部分にそれぞれ設けられ、各仕切体には、各収納物を挟む位置に仕切板を対向配置し、対向配置された仕切板同士の間隔を収納物の胴部外形寸法より僅かに狭い間隔とし、かつ、該仕切板の上縁には、収納物を挿入する際のガイドとなるＶ字状切欠部が設けられていることを特徴とする収納容器。
【請求項２】
前記容器本体とは別体に形成された蓋体を有し、該蓋体には、前記仕切体が通過可能な切欠部が形成されていることを特徴とする請求項１記載の収納容器。
【請求項３】
前記蓋体は、その下面に収納物の上部に係止する係止体を備えていることを特徴とする請求項２記載の収納容器。
【発明の詳細な説明】
【０００１】
【発明の属する技術分野】
本発明は、収納容器に関し、詳しくは、外側が硬質な品物、例えば飲料用缶やボトル等を多数個収納して保管・輸送・運搬・陳列する際に用いるのに好適な合成樹脂製の収納容器に関する。
【０００２】
【従来の技術】
従来、飲料用缶を収納して保管・輸送・運搬・陳列に供する収納容器としては、一般に段ボールで形成したものが用いられている。この段ボール製の収納容器は、底板の対向する側壁に収納する缶体の高さと略同じ高さの側板を折り曲げ自在に形成し、一方の側板に天板を形成するとともに、底板，側板，天板の端縁に接着用フラップを形成し、この接着用フラップを接着することにより箱状に組み立てて収納容器としていた。
【０００３】
【発明が解決しようとする課題】
しかし、このような段ボール製の収納容器は、接着用フラップを接着したものであるため、そのまま反復使用することはできず、また、収納する缶の大きさが異なる場合には、それぞれの大きさに応じたサイズの段ボールを準備する必要があった。
【０００４】
そこで本発明は、例えば、飲料用缶等の収納物を収納して保管・輸送・運搬・陳列に供する収納容器であって、収納物を確実に保持することができるとともに、収納物の収納や取出しが容易で、さらに反復使用が可能な収納容器を提供することを目的としている。
【０００５】
【課題を解決するための手段】
上記目的を達成するため、本発明の収納容器は、方形の底板と、該底板の周縁に立設した側壁とからなる箱状の容器本体の底面上に、円筒状の同一外径の収納物の胴部に当接する複数の仕切体を備えた収納容器であって、前記仕切体は、底面上に隣接する前記収納物同士の胴部が接触した状態で整列させたときに各収納物の間に形成される隙間部分及び収納物と前記側壁との間に形成される隙間部分にそれぞれ設けられ、各仕切体には、各収納物を挟む位置に仕切板を対向配置し、対向配置された仕切板同士の間隔を収納物の胴部外形寸法より僅かに狭い間隔とし、かつ、該仕切板の上縁には、収納物を挿入する際のガイドとなるＶ字状切欠部が設けられていることを特徴としている。
【０００６】
また、本発明の収納容器は、前記容器本体とは別体に形成された蓋体を有し、該蓋体には、前記仕切体が通過可能な切欠部が形成されていること、さらに、前記蓋体の下面に、収納物の上部に係止する係止体を備えていることを特徴としている。
【０００７】
【発明の実施の形態】
以下、本発明を、図面を参照してさらに詳細に説明する。図１は本発明の収納容器の一例を示す斜視図、図２は飲料用缶を収納した状態を示す斜視図、図３は仕切体の斜視図、図４は飲料用缶を収納した状態の要部の平面図、図５は図４のＶ−Ｖ線断面図、図６は蓋体に設けた係止体の断面図、図７は蓋体を本体内に収納した状態を示す斜視図である。
【０００８】
まず、本形態例に示す収納容器１は、２４本の飲料用缶Ｃを収納するための合成樹脂製のものであって、長方形状の底板２の周縁に側壁３を立設した箱状の容器本体４と、該本体部４とは別体に形成された蓋体５とを有するとともに、前記容器本体４の底面上に、飲料用缶Ｃを所定位置に収納保持するための仕切体６を設けたものである。
【０００９】
上記仕切体６は、底面上に飲料用缶Ｃを２４本整列させたときに各飲料用缶Ｃの間に形成される隙間部分、及び、飲料用缶Ｃと側壁３との間に形成される隙間部分に設けられており、飲料用缶Ｃを挟むようにして対向配置される仕切板７を備えている。この仕切板７は、相対向する仕切板７，７間の距離が飲料用缶Ｃの胴部寸法より僅かに狭くなる位置に設けられるもので、飲料用缶Ｃを仕切板７，７間に挿入したときに適度に変形するとともに、飲料用缶Ｃを抜取ったときに元の形状に復元することが可能な弾性力を有している。
【００１０】
また、仕切板７の下部は、脚片８を介して底板２に接続しており、仕切板７の上縁には、飲料用缶Ｃを挿入する際のガイドとなるＶ字状切欠部９が設けられている。この仕切板７の弾性による飲料用缶Ｃの保持力は、該仕切板７の変形量，材質，厚さ，高さ，形状等を適当に設定することにより、その弾性変形範囲内で任意に選択することができ、飲料用缶Ｃ等の収納物の形状等に応じて最適な状態に設定することができる。
【００１１】
このような仕切板７を有する容器本体４に飲料用缶Ｃを収納すると、すなわち、各仕切板７，７間に飲料用缶Ｃを挿入すると、飲料用缶Ｃは、その胴部が弾性変形した仕切板７により押圧された状態となり、両者の摩擦力により、所定の収納位置にがたつきなく確実に保持された状態になる。また、飲料用缶Ｃを挿入する際には、中央部に向かって下り傾斜となるＶ字状切欠部９によりガイドされるので、飲料用缶Ｃの挿入位置が多少ずれていても、仕切板７の中央部の所定の位置に確実に挿入することができる。
【００１２】
さらに、本形態例によれば、収納する飲料用缶Ｃが２４本に満たない場合でも確実に収納保持することができ、しかも、隣接する飲料用缶Ｃ同士の間には仕切りがなく、飲料用缶Ｃ同士が互いに接触した状態で収納されるので、収納容器の外形寸法を小さくすることができる。また、仕切体６の高さを飲料用缶Ｃより低く形成しておくことにより、飲料用缶Ｃの周囲に指を挿入する空間を形成でき、飲料用缶Ｃの取出しも容易に行うことができる。
【００１３】
一方、前記蓋体５は、底板２と略同じ大きさに形成された板状のものであって、前記仕切体６に対応する位置には、該仕切体６が通過可能な切欠部１０が設けられており、四隅部には、図６に示すように、飲料用缶Ｃの上部周縁に係止可能な鉤状の係止体１１が設けられている。
【００１４】
この蓋体５は、飲料用缶Ｃを収納したときには、図２に示すように、飲料用缶Ｃの上面を覆うようにして用いられ、前記係止体１１の係止力により保持される。これにより、飲料用缶Ｃの飲み口部分等を保護することができ、この状態で収納容器１を積重ねて保管，運搬等を行うことが可能であり、蓋体５を取除けば、容器本体４に収納したままの状態での展示，販売が可能である。
【００１５】
また、飲料用缶Ｃを収納していないときには、図７に示すように、前記切欠部１０に仕切体６が挿通した状態で容器本体４と蓋体５とを重ね合わせることができ、空の収納容器の保管や運搬も容易に行うことができる。
【００１６】
さらに、本形態例に示す収納容器１は、飲料用缶Ｃの外径が同一ならば高さが異なる飲料用缶の収納にも使用することができるので、１種類の収納容器１で数種類の飲料缶の収納に利用することができる。
【００１７】
なお、本形態例では、飲料用缶の１本毎に９０度間隔で４個の仕切体を配置し、より確実に飲料用缶を保持収納できるようにしたが、２個以上の飲料用缶を囲むようにして仕切体を配置することも可能である。
【００１８】
また、仕切板の形状も、該仕切板自体の材質等に応じて適当な形状を選択することができる。さらに、蓋体に設ける係止体も、その設置位置や形状は任意であり、収納物の上部形状に応じて選択すればよく、必要に応じて適宜な結束具を用いるようにしてもよい。
【００１９】
【発明の効果】
以上説明したように、本発明の収納容器によれば、飲料用缶等の円筒状胴部を有する収納物をがたつきなく確実に収納保持できるとともに、収納物の収納や取出しも容易に行うことができる。また、合成樹脂製とすることにより、耐水性や強度を向上でき、耐久性が高くなり反復使用が可能となる。さらに、従来の仕切り付き収納容器に比べて小型化も図れる。
【図面の簡単な説明】
【図１】  本発明の収納容器の一例を示す斜視図である。
【図２】  飲料用缶を収納した状態を示す斜視図である。
【図３】  仕切体の斜視図である。
【図４】  飲料用缶を収納した状態の要部の平面図である。
【図５】  図４のＶ−Ｖ線断面図である。
【図６】  蓋体に設けた係止体の断面図である。
【図７】  蓋体を本体内に収納した状態を示す斜視図である。
【符号の説明】
１…収納容器、２…底板、３…側壁、４…容器本体、５…蓋体、６…仕切体、７…仕切板、８…脚片、９…Ｖ字状切欠部、１０…切欠部、１１…係止体、Ｃ…飲料用缶
【図１】
0003655404.tif 000002
【図２】
0003655404.tif 000003
【図３】
0003655404.tif 000004
【図４】
0003655404.tif 000005
【図５】
0003655404.tif 000006
【図６】
0003655404.tif 000007
【図７】
0003655404.tif 000008